(57)【要約】  本発明の競技義足用ソールは、底面の少なくとも一部の領域に、溝により区画され、平面形状が六角形以上の多角形状である複数のブロックを有し、平面視において、前記複数のブロックのうち、第１の方向に隣接する２つのブロック間の最短距離をｄ１とし、前記隣接する２つブロックのうち最大長さが大きい方の前記ブロックの最大長さをＬとするとき、関係式、ｄ１／Ｌ≦０．０６、を満たす。
2020022275.tif 000002
【特許請求の範囲】
【請求項１】
底面の少なくとも一部の領域に、溝により区画され、平面形状が六角形以上の多角形状である複数のブロックを有し、
平面視において、前記複数のブロックのうち、第１の方向に隣接する２つのブロック間の最短距離をｄ１とし、前記隣接する２つブロックのうち最大長さが大きい方の前記ブロックの最大長さをＬとするとき、関係式、
ｄ１／Ｌ≦０．０６
を満たすことを特徴とする、競技義足用ソール。
【請求項２】
前記第１の方向に隣接する２つのブロックは、互いに略平行に延在する第１の側壁をそれぞれ有し、
前記複数のブロックが、前記第１の側壁が延在する方向に略直交する方向に並んでなす列を、少なくとも１列有する、請求項１に記載の競技義足用ソール。
【請求項３】
少なくとも１つの前記列において、前記最短距離ｄ１（ｍｍ）は、幅方向一方側から他方側に向かって大きくなる箇所を有する、請求項２に記載の競技義足用ソール。
【請求項４】
前記第１の側壁は、前記第１の方向に隣接する２つのブロックのそれぞれの、最大の長さを有する側壁である、請求項２又は３に記載の競技義足用ソール。
【請求項５】
前記列を複数列有し、
前記第１の方向とは異なる第２の方向に隣接する列間で隣接する２つのブロックが、互いに略平行に延在する、前記第１の側壁とは別の第２の側壁をそれぞれ有する、請求項２〜４のいずれか一項に記載の競技義足用ソール。
【請求項６】
前記第２の側壁間の最短距離をｄ２（ｍｍ）とするとき、
前記最短距離ｄ２（ｍｍ）は、前記複数列のうち、前後方向の一方側の列から他方側の列に向かって大きくなる箇所を有する、請求項５に記載の競技義足用ソール。
【請求項７】
前記底面の一部に、階段状のブロックを有する、請求項１〜６のいずれか一項に記載の競技義足用ソール。
【発明の詳細な説明】
【技術分野】
【０００１】
本発明は、競技用の義足の接地域に装着される、競技義足用ソールに関するものである。
【背景技術】
【０００２】
従来、競技用の義足（以下、競技義足又は単に義足ともいう）の接地域の下面に、路面と当接するソールを取付けることが行われている。【０００３】
例えば、特許文献１では、湾曲した板ばね状の競技義足の下面に取り付けられた、競技種目に応じた様々なソールが提案されている。具体的には、特許文献１には、路面に接地するソールの底面にスパイクが取り付けられたもの等が記載されている。
【先行技術文献】
【特許文献】
【０００４】
【特許文献１】特開２０１６−１５０１８９号公報
【発明の概要】
【発明が解決しようとする課題】
【０００５】
しかしながら、特許文献１に記載のソールでは、耐摩耗性が十分ではなかった。【０００６】
そこで、本発明は、耐摩耗性を向上させた競技義足用ソールを提供することを目的とする。
【課題を解決するための手段】
【０００７】
本発明の要旨構成は、以下の通りである。
本発明の競技義足用ソールは、底面の少なくとも一部の領域に、溝により区画され、平面形状が六角形以上の多角形状である複数のブロックを有し、
平面視において、前記複数のブロックのうち、第１の方向に隣接する２つのブロック間の最短距離をｄ１とし、前記隣接する２つブロックのうち最大長さが大きい方の前記ブロックの最大長さをＬとするとき、関係式、
ｄ１／Ｌ≦０．０６
を満たすことを特徴とする。
ここで、「ブロックの最大長さ」は、平面視において、ブロックの輪郭線上の任意の２点間距離を測定した際に最大となる長さをいうものとする。
【発明の効果】
【０００８】
本発明によれば、耐摩耗性を向上させた、競技義足用ソールを提供することができる。
【図面の簡単な説明】
【０００９】
【図１】本発明の一実施形態にかかる競技義足用ソールの底面のパターンを示す展開図である。
【図２】本発明の他の実施形態にかかる競技義足用ソールの底面のパターンを示す展開図である。
【図３】ソールが装着された状態の競技義足の一例を示す概略側面図である。
【図４Ａ】ブロックの高さについて説明するための図である。
【図４Ｂ】ブロックの高さについて説明するための図である。
【発明を実施するための形態】
【００１０】
以下、本発明の実施形態について、図面を参照して詳細に例示説明する。
【００１１】
＜競技義足用ソール＞
本発明の一実施形態にかかる競技義足用ソールは、特には限定されないが、例えば厚さ１．０〜１０．０ｍｍ（好ましくは、２．０〜３．５ｍｍ）の、頂面及び底面を有するシート状の形状である。本実施形態のソールは、頂面が競技義足の接地域に装着され、一方で、底面が路面と接地する。本発明では、装着される競技義足の種類等は、特に限定されず、任意の既知のタイプのものに装着することができる。装着は、例えば接着剤等による接着で行うことができる。なお、競技義足の例については後述する。ソールの材質等は特に限定されず、通常用いるゴム等を用いることができる。
【００１２】
図１は、本発明の一実施形態にかかる競技義足用ソールの底面１０のパターンを示す展開図である。図１は、ソールの底面１０の一部を示している。図１に示すように、本実施形態のソールは、底面１０の少なくとも一部の領域（図示例では全域）に、溝１１により区画され、平面形状が六角形以上の多角形状である複数のブロック１２を有している。本実施形態の競技義足用ソールは、装着する義足が土踏まずを有しないため、底面１０の全面に（例えば図１に示すような）パターンが形成されている。なお、本実施形態の競技義足用ソールを、中間層（クッション）を介して、競技義足に装着した場合、中間層（クッション）の厚さや材質を均一とすることが好ましい。
【００１３】
図１に示す実施形態では、全てのブロック１２が、平面形状が六角形以上の多角形状である。一方で、本発明では、一部のブロック１２が、平面形状が六角形以上の多角形状であれば良い。例えば、ソールの前後方向（爪先側〜踵側の方向）の一部の領域内のブロック１２が、平面形状が六角形以上の多角形状であるものとすることができ、及び／又は、ソールの幅方向（平面視で上記前後方向に直交する方向）の一部の領域内のブロック１２が、平面形状が六角形以上の多角形状であるものとすることができる。また、当該一部のブロック１２は、平面形状が七角形状、八角形状、又はそれ以上の頂点を有する多角形状とすることもできる。従って、ソールの底面１０の他の一部の領域では、ブロック１２は、平面形状が五角形以下の多角形状とすることもでき、あるいは、多角形以外の平面形状とすることもできる。
【００１４】
図１に示す実施形態では、平面形状が六角形以上の多角形状の複数のブロック１２は、第１の方向において２つのブロック１２が互いに隣接し、且つ、第１の方向とは異なる第２の方向においても２つのブロック１２が互いに隣接している。すなわち、複数のブロック１２が、ソールの前後方向に対して傾斜した方向（第１の方向）に並んで列をなし、当該列が第２の方向に複数列（図示内では１０列）をなしている。第１の方向に隣接する２つのブロックは、互いに略平行に延在する第１の側壁１２ｃ（平面視で多角形状の辺）をそれぞれ有している。この例では、一部の（特に前後方向一方側（図示例では爪先側）の）第１の側壁１２ｃは、第１の方向に隣接する２つのブロックのそれぞれの、最大の長さを有する側壁である。従って、この例では、複数のブロック１２が、第１の側壁１２ｃが延在する方向に略直交する方向に並んでなす列を、少なくとも１列（図示内では１０列）有している。換言すると、列内では、該ブロック１２の最大長さを有する第１の側壁１２ｃの延在方向に略直交する方向に複数のブロック１２が並んでいる。各ブロック１２の最大長さを有する第１の側壁１２ｃの延在方向は、特には限定されず、ソールの前後方向に対して、例えば０°〜４５°傾斜した方向とすることができる。
また、図１に示す実施形態では、上記列を複数列（図示内では１０列）有し、第２の方向に隣接する列間で隣接する２つのブロック１２（の多数）が、互いに略平行に延在する、第１の側壁１２ｃとは別の第２の側壁１２ｄをそれぞれ有している。
【００１５】
図１に示す実施形態では、底面１０の一部に、階段状の（すなわち、高さが異なる部分を有する）ブロック１２ｂを有している。すなわち、図１に示す実施形態では、ソールの底面１０に形成されたブロック１２は、高さが略一定のブロック１２ａと、階段状のブロック１２ｂとで構成されている。
【００１６】
本実施形態では、ソールの前後方向の一方側（図示例では爪先側）から１列目及び２列目では、全てのブロック１２が、高さが略一定のブロック１２ａで構成されている。また、ソールの前後方向の一方側（図示例では爪先側）から３〜５列目では、一部のブロック（幅方向一方側（図示例では幅方向外側（体の外側）））のブロック１２は、高さが略一定のブロック１２ａで構成され、他のブロック（幅方向他方側（図示例では、幅方向内側（体の内側）））のブロック１２は、階段状のブロック１２ｂで構成されている。また、ソールの前後方向の一方側（図示例では爪先側）から６〜１０列目では、全てのブロック１２が、階段状のブロック１２ｂで構成されている。
【００１７】
図４Ａ、図４Ｂは、ブロックの高さについて説明するための図である。
ここで、高さが略一定のブロック１２ａのブロック高さ（溝１１の深さ）ｈ１（ｍｍ）は、特に限定されないが、１．０〜７．０ｍｍとすることが好ましく、２．０〜３．５ｍｍとすることがより好ましく、２．４ｍｍ〜３．５ｍｍとすることがさらに好ましい。
同様に、階段状のブロック１２ｂのブロック全体の高さをｈ１（ｍｍ）とし、ブロック１２ｂの頂部を有する最も高い段の高さをｈ２（ｍｍ）とするとき、例えば図４Ａに示すように、階段状のブロック１２ｂが２段である場合、ｈ１を１．０〜７．０ｍｍ、ｈ２ を０．５〜２．５ｍｍとすることが好ましく、ｈ１を２．０〜３．５ｍｍ 、ｈ２を０．７〜１．５ｍｍとすることがより好ましく、ｈ１を２．４ｍｍ〜３．５ｍｍ、ｈ２を１．２ｍｍ〜１．５ｍｍとすることがさらに好ましい。
なお、例えば図４Ｂに示すように、階段状のブロック１２ｂが３段以上である場合も、最も高い段でのブロック高さをｈ２として、ｈ１を１．０〜７．０ｍｍ、ｈ２ を０．５〜２．５ｍｍとすることが好ましく、ｈ１を２．０〜３．５ｍｍ 、ｈ２を０．７〜１．５ｍｍとすることがより好ましく、ｈ１を２．４ｍｍ〜３．５ｍｍ、ｈ２を１．２ｍｍ〜１．５ｍｍとすることがさらに好ましい。
【００１８】
図示例では、階段状のブロック１２ｂは、２段であり、ブロック１２ｂ全体としての平面形状は、上述のように六角形以上の多角形状であるが、最も高い段の平面形状は、平面視での中心部から放射状に突出する部分１２ｅ（図示例では６つの部分）を有する、アスタリスク型の形状をなしている。なお、図示例では、各階段状のブロック１２ｂにおいて、突出する部分１２ｅは６つであるが、全て又は一部の階段状のブロック１２ｂの最も高い段の平面形状は、上記突出する部分１２ｅが５つ以下又は７つ以上であっても良い。
【００１９】
各列においては、幅方向一方側（図示例では幅方向外側）から幅方向他方側（図示例では幅方向内側）に向かって、隣接する２つのブロック１２の間隔（例えば最短距離）が大きくなる箇所を有している。図示例では、隣接する２つのブロック１２の間隔（例えば最短距離）が小さくなっている箇所も含まれているが、各列においては、幅方向一方側（図示例では幅方向外側）から幅方向他方側（図示例では幅方向内側）に向かって、隣接する２つのブロックの間隔（例えば最短距離）が漸増するようにしても良い。あるいは、最も幅方向一方側（図示例では幅方向外側）の隣接する２つのブロック１２の間隔（例えば最短距離）が、最も幅方向他方側（図示例では幅方向内側）の隣接する２つのブロック１２の間隔（例えば最短距離）より小さくなるようにしても良い。
また、各列においては、幅方向一方側（図示例では幅方向外側）から（図示例では幅方向内側）に向かって、ブロック１２の平面視での面積が小さくなる箇所を有している。図示例では、幅方向一方側（図示例では幅方向外側）から幅方向他方側（図示例では幅方向内側）に向かって、ブロック１２の平面視での面積が大きくなる箇所も含まれているが、幅方向一方側（図示例では幅方向外側）から幅方向他方側（図示例では幅方向内側）に向かって、ブロック１２の平面視での面積が漸減するようにしても良い。あるいは、最も幅方向一方側（図示例では幅方向外側）のブロック１２の平面視での面積が、最も幅方向他方側（図示例では幅方向内側）のブロック１２の平面視での面積より大きくなるようにしても良い。
従って、平面視での、ソールの面積に対する溝１１の面積の比率（ネガティブ率）は、幅方向一方側（図示例では幅方向外側）から幅方向他方側（図示例では幅方向内側）に向かって、略漸増している。
【００２０】
また、階段状のブロック１２ｂを複数個有する各列においては、幅方向一方側（図示例では幅方向外側）から幅方向他方側（図示例では幅方向内側）に向かって、階段状ブロック１２ｂの平面視での面積に対する、最も高い段の平面視での面積の割合が小さくなる箇所を有している。具体的には、幅方向一方側（図示例では幅方向外側）から幅方向他方側（図示例では幅方向内側）に向かって、突出する部分１２ｅの幅が小さくなる箇所を有している。図示例では、幅方向一方側（図示例では幅方向外側）から幅方向他方側（図示例では幅方向内側）に向かって、当該割合（あるいは突出する部分１２ｅの幅）が大きくなっている箇所も含まれているが、当該割合（あるいは突出する部分１２ｅの幅）が漸減するようにしても良い。あるいは、最も幅方向一方側（図示例では幅方向外側）のブロック１２での当該割合（あるいは突出する部分１２ｅの幅）が、最も幅方向他方側（図示例では幅方向内側）のブロック１２での当該割合（あるいは突出する部分１２ｅの幅）より大きくなるようにしても良い。
なお、本実施形態では、幅方向一方側を幅方向外側としているが、本発明では、幅方向一方側を幅方向内側としても良い。
【００２１】
また、ソールの前後方向の一方側（図示例では爪先側）の列から他方側（図示例では踵側）の列に向かって、列間の間隔（それらを区画する溝１１の溝幅（例えば溝幅の最大値））が略漸増している。従って、平面視での、ソールの面積に対する溝１１の面積の比率（ネガティブ率）は、ソールの前後方向の一方側（図示例では爪先側）の列から他方側（図示例では踵側）の列に向かって、略漸増している。
【００２２】
また、ソールの前後方向の一方側（図示例では爪先側）の列から他方側（図示例では踵側）の列に向かって、ブロック１２の平面視での面積（例えば列での平均値）が略漸減している。また、階段状のブロック１２ｂを複数個有する各列においては、ソールの前後方向の一方側（図示例では爪先側）の列から他方側（図示例では踵側）の列に向かって、幅方向一方側（図示例では幅方向外側）から幅方向他方側（図示例では幅方向内側）に向かって、階段状ブロック１２ｂの平面視での面積に対する、最も高い段の平面視での面積の割合（例えば列での平均値）が略漸減している。また、階段状のブロック１２ｂを複数個有する各列においては、ソールの前後方向の一方側（図示例では爪先側）の列から他方側（図示例では踵側）の列に向かって、突出する部分１２ｅの幅（例えば列での平均値）が略漸減している。
【００２３】
図１に示す実施形態では、溝１１は、ソールの前後方向にジグザグ状に延在している複数本の溝が、略幅方向に延びる複数本の溝によって接続されてなる。なお、別の見方をすれば、溝１１は、略第１の方向にジグザグ状に延在している複数本の溝が、略第２の方向に延びる複数本の溝によって接続されてなる。さらに別の見方をすれば、溝１１は、略第２の方向にジグザグ状に延在している複数本の溝が、略第１の方向に延びる複数本の溝によって接続されてなる。
【００２４】
ここで、本実施形態においては、平面視において、複数のブロック１２のうち、第１の方向（この例では、最大長さを有する第１の側壁１２ｃが延在する方向に略直交する方向）に隣接する２つのブロック１２間の最短距離をｄ１とし、隣接する２つブロック１２のうち最大長さが大きい方のブロック１２の最大長さをＬとするとき、関係式、
ｄ１／Ｌ≦０．０６
を満たしている。
図１に示す例では、ソールの前後方向の一方側（図示例では爪先側）の一部の領域に位置する列において、列内の一部又は全てのブロック１２が、上記関係式、
ｄ１／Ｌ≦０．０６
を満たしている。
なお、耐摩耗性を向上させる観点からは、ｄ１／Ｌ≦０．０２５とすることがより好ましく、ｄ１／Ｌ≦０．０２とすることがさらに好ましい。一方で、排水性を確保する観点からは、ｄ１／Ｌ≧０．０１とすることが好ましい。
例えば、最短距離ｄ１は、耐摩耗性を向上させる観点からは、２ｍｍ以下とすることが好ましく、１．５ｍｍ以下とすることがより好ましく、１．０ｍｍ以下とすることがさらに好ましい。一方で、最短距離ｄ１は、排水性を確保する観点からは、０．２ｍｍ以上とすることが好ましく、０．５ｍｍ以上とすることがより好ましく、０．７ｍｍ以上とすることがさらに好ましい。
【００２５】
また、本実施形態においては、第２の側壁１２ｄ間の最短距離をｄ２（ｍｍ）とするとき、最短距離ｄ２（ｍｍ）は、複数列のうち、前後方向の一方側（図示例では爪先側）の列から他方側（図示例では踵側）の列に向かって大きくなる箇所を有している。
以下、本実施形態の競技義足用ソールの作用効果について説明する。以下の作用効果については、本実施形態の競技義足用ソールを競技義足の接地域に装着した際のものである。
【００２６】
本実施形態の競技義足用ソールによれば、底面１０の少なくとも一部の領域に、溝１１により区画され、平面形状が六角形以上の多角形状である複数のブロック１２を有しており、上記関係式、ｄ１／Ｌ≦０．０６を満たしているため、ブロック１２の大きさ（従って、剛性）に比して、第１の方向に隣接するブロック１２間の最短距離ｄ１が短い。従って、接地時にブロック１２が撓んで膨出した際に、隣接するブロック１２同士が支え合うことができ、ブロック１２の滑りを抑制して、耐摩耗性を向上させることができる。特に、本実施形態では、第１の方向に隣接する２つのブロック１２は、互いに略平行に延在する第１の側壁１２ｃをそれぞれ有し、複数のブロック１２が、第１の側壁１２ｃが延在する方向に略直交する方向に並んでなす列を、少なくとも１列（図示内では１０列）有しているため、上記略平行に延在する箇所全体にわたって最短距離ｄ１で一定となるため、上記の支え合う効果を有効に得ることができる。そして、特に、本実施形態では、当該第１の側壁１２ｃは、第１の方向に隣接する２つのブロック１２のそれぞれの最大の長さを有する側壁であるため、当該最大長さ全域にわたって、上記の支え合う効果を有効に得ることができる。また、本実施形態では、上記列を複数列（図示内では１０列）有し、第２の方向に隣接する列間で隣接する２つのブロック１２が、互いに略平行に延在する第２の側壁１２ｄをそれぞれ有するため、ソールの前後方向でも隣接するブロック１２間で支え合う効果を得ることができる。また、本実施形態では、第１の方向が、ソールの前後方向に対して傾斜した方向であるため、接地時に前後方向の力のみならず、幅方向の力も大きく加わった際に、特にブロック１２が動く方向に支え合うことができ、上記の効果をより効果的に得ることができる。
以上のように、本実施形態の競技義足用ソールによれば、耐摩耗性を向上させることができる。
【００２７】
さらに、本実施形態によれば、ソールの前後方向の一方側（図示例では爪先側）の列から他方側（図示例では踵側）の列に向かって、列間の間隔（それらを区画する溝１１の溝幅（例えば溝幅の最大値））が略漸増しているため、比較的摩耗の多い爪先側で上記のブロック１２同士が支え合う効果を有効に得つつも、比較的摩耗の少ない踵側で排水性を確保することができるため、耐摩耗性と排水性とを高い次元で両立させることができる。
【００２８】
また、本実施形態によれば、平面視での、ソールの面積に対する溝１１の面積の比率（ネガティブ率）は、ソールの前後方向の一方側（図示例では爪先側）の列から他方側（図示例では踵側）の列に向かって、略漸増しているため、比較的摩耗の多い爪先側で上記のブロック１２同士が支え合う効果を有効に得つつも、比較的摩耗の少ない踵側で排水性を確保することができるため、耐摩耗性と排水性とを高い次元で両立させることができる。
【００２９】
また、本実施形態によれば、ソールの前後方向の一方側（図示例では爪先側）の列から他方側（図示例では踵側）の列に向かって、ブロック１２の平面視での面積（例えば列での平均値）が略漸減しているため、比較的摩耗の多い爪先側で上記のブロック１２同士が支え合う効果を有効に得つつも、比較的摩耗の少ない踵側で排水性を確保することができるため、耐摩耗性と排水性とを高い次元で両立させることができる。
【００３０】
また、本実施形態によれば、階段状のブロック１２ｂを複数個有する各列においては、ソールの前後方向の一方側（図示例では爪先側）の列から他方側（図示例では踵側）の列に向かって、幅方向一方側（図示例では幅方向外側）から幅方向他方側（図示例では幅方向内側）に向かって、階段状ブロック１２ｂの平面視での面積に対する、最も高い段の平面視での面積の割合（例えば列での平均値）が略漸減しているため、比較的摩耗の多い爪先側で上記のブロック１２同士が支え合う効果を有効に得つつも、比較的摩耗の少ない踵側で排水性を確保することができるため、耐摩耗性と排水性とを高い次元で両立させることができる。
【００３１】
また、本実施形態によれば、階段状のブロック１２ｂを複数個有する各列においては、ソールの前後方向の一方側（図示例では爪先側）の列から他方側（図示例では踵側）の列に向かって、突出する部分１２ｅの幅（例えば列での平均値）が略漸減しているため、比較的摩耗の多い爪先側で上記のブロック１２同士が支え合う効果を有効に得つつも、比較的摩耗の少ない踵側で排水性を確保することができるため、耐摩耗性と排水性とを高い次元で両立させることができる。
【００３２】
また、本実施形態によれば、底面１０の一部に、階段状のブロック１２ｂを有しているため、接地時に高い段が潰れて接地性が向上し、さらに、段差を有することにより、排水性も向上する。さらに、最も高い段の平面形状は、平面視での中心部から放射状に突出する部分を有しているため、排水をより一層促進しつつも、エッジ成分を多くして駆動性を向上させることもできる。
【００３３】
図２は、本発明の他の実施形態にかかる競技義足用ソールの底面のパターンを示す展開図である。図２に示すように、本実施形態のソールは、底面１０の少なくとも一部の領域に、溝１１により区画され、平面形状が六角形以上の多角形状である複数のブロック１２を有している。
【００３４】
図２に示す実施形態でも、全てのブロック１２が、平面形状が六角形以上の多角形状（本実施形態では、六角形状）である。
【００３５】
図２に示す実施形態では、平面形状が六角形状の複数のブロック１２は、第１の方向（この例では幅方向）において２つのブロック１２が互いに隣接し、且つ、第２の方向（この例では前後方向）においても２つのブロック１２が互いに隣接している。すなわち、ブロック１２は、ソールの前後方向に対して（この例では９０°）傾斜した方向（第１の方向）に列をなし、当該列が第２の方向に複数列をなしている。第１の方向に隣接する２つのブロックは、互いに略平行に延在する第１の側壁１２ｃをそれぞれ有している。この例では、複数のブロック１２が、第１の側壁１２ｃが延在する方向に対して傾斜した方向に並んでなす列を、少なくとも１列（図示内では１０列）有している。換言すると、列内では、該ブロック１２の第１の側壁１２ｃの延在方向に対して傾斜した方向に複数のブロック１２が並んでいる。
また、図２に示す実施形態では、上記列を複数列（図示内では１０列）有し、第２の方向に隣接する列間で隣接する２つのブロック１２が、互いに略平行に延在する、第１の側壁１２ｃとは別の第２の側壁１２ｄをそれぞれ有している。
【００３６】
図２に示す実施形態では、ソールの底面１０に形成されたブロック１２は、高さが略一定のブロック１２ａのみで構成されている。ここで、高さが略一定のブロック１２ａのブロック高さ（溝１１の深さ）は、特に限定されないが、例えば、１．０〜７．０ｍｍとすることができる。
【００３７】
図２に示す実施形態では、各列において、隣接する２つのブロック１２の間隔（例えば最短距離ｄ１）は、一定である。また、列によっては、ブロック１２の平面視での面積は、一定である。
【００３８】
また、ソールの前後方向の一方側（図示例では爪先側）及び他方側（図示例では踵側）の列から前後方向の中央部に向かって、列間の間隔（それらを区画する溝１１の溝幅（例えば溝幅の最大値））が略漸増している。従って、平面視での、ソールの面積に対する溝１１の面積の比率（ネガティブ率）は、ソールの前後方向の一方側（図示例では爪先側）及び他方側（図示例では踵側）の列から前後方向の中央部に向かって、略漸増している。
【００３９】
また、ソールの前後方向の一方側（図示例では爪先側）及び他方側（図示例では踵側）の列から前後方向の中央部に向かって、ブロック１２の平面視での面積（例えば列での平均値）が略漸減している。
【００４０】
ここで、図２に示す実施形態においては、平面視において、複数のブロック１２のうち、第１の方向（この例では、幅方向）に隣接する２つのブロック１２間の最短距離をｄ１とし、隣接する２つブロック１２のうち最大長さが大きい方のブロック１２の最大長さをＬとするとき、関係式、
ｄ１／Ｌ≦０．０６
を満たしている。
図２に示す例では、ソールの前後方向の一方側（図示例では爪先側）の一部の領域に位置する列において、列内の一部又は全てのブロック１２が、上記関係式、
ｄ１／Ｌ≦０．０６
を満たしている。
なお、耐摩耗性を向上させる観点からは、ｄ１／Ｌ≦０．０２５とすることがより好ましく、ｄ１／Ｌ≦０．０２とすることがさらに好ましい。一方で、排水性を確保する観点からは、ｄ１／Ｌ≧０．０１とすることが好ましい。
例えば、最短距離ｄ１は、耐摩耗性を向上させる観点からは、２ｍｍ以下とすることが好ましく、１．５ｍｍ以下とすることがより好ましく、１．０ｍｍ以下とすることがさらに好ましい。一方で、最短距離ｄ１は、排水性を確保する観点からは、０．２ｍｍ以上とすることが好ましく、０．５ｍｍ以上とすることがより好ましく、０．７ｍｍ以上とすることがさらに好ましい。
【００４１】
本実施形態において、第２の側壁間の最短距離をｄ２（ｍｍ）とするとき、最短距離ｄ２（ｍｍ）は、複数列のうち、前後方向の一方側（図示例では爪先側）の列及び他方側（図示例では踵側）の列から前後方向の中央部に向かって漸増している。
以下、図２に示す実施形態の競技義足用ソールの作用効果について説明する。以下の作用効果については、図２に示す実施形態の競技義足用ソールを競技義足の接地域に装着した際のものである。
【００４２】
図２に示す競技義足用ソールによれば、底面１０の少なくとも一部の領域に、溝１１により区画され、平面形状が六角形以上の多角形状である複数のブロック１２を有しており、上記関係式、ｄ１／Ｌ≦０．０６を満たしているため、ブロック１２の大きさ（従って、剛性）に比して、第１の方向に隣接するブロック１２間の最短距離ｄ１が短い。従って、接地時にブロック１２が撓んで膨出した際に、隣接するブロック１２同士が支え合うことができ、ブロック１２の滑りを抑制して、耐摩耗性を向上させることができる。特に、本実施形態では、第１の方向に隣接する２つのブロック１２は、互いに略平行に延在する第１の側壁１２ｃをそれぞれ有し、複数のブロックが、第１の側壁１２ｃが延在する方向に略直交する方向に並んでなす列を、少なくとも１列（図示内では１０列）有しているため、上記略平行に延在する箇所全体にわたって最短距離ｄ１で一定となるため、上記の支え合う効果を有効に得ることができる。そして、特に、本実施形態では、当該第１の側壁１２ｃは、第１の方向に隣接する２つのブロック１２のそれぞれの最大の長さを有する側壁である箇所を有するため、当該箇所では、当該最大長さ全域にわたって、上記の支え合う効果を有効に得ることができる。また、本実施形態では、上記列を複数列（図示内では１０列）有し、第２の方向に隣接する列間で隣接する２つのブロック１２が、互いに略平行に延在する第２の側壁１２ｄをそれぞれ有するため、ソールの前後方向でも隣接するブロック１２間で支え合う効果を得ることができる。また、本実施形態では、第１の方向が、ソールの前後方向に対して傾斜した方向（幅方向）であるため、接地時に前後方向の力のみならず、幅方向の力も大きく加わった際に、特にブロック１２が動く方向に支え合うことができ、上記の効果をより効果的に得ることができる。
以上のように、図２に示す実施形態の競技義足用ソールによれば、耐摩耗性を向上させることができる。
【００４３】
図２に示す実施形態では、ソールの前後方向の一方側（図示例では爪先側）及び他方側（図示例では踵側）の列から前後方向の中央部に向かって、列間の間隔（それらを区画する溝１１の溝幅（例えば溝幅の最大値））が略漸増しているため、比較的摩耗の大きい爪先側及び場合によって摩耗の大きい踵側の耐摩耗性を向上させつつ、比較的摩耗の小さい前後方向中央部で排水性を向上させることができ、耐摩耗性と排水性とを高い次元で両立させることができる。
【００４４】
また、図２に示す実施形態では、平面視での、ソールの面積に対する溝１１の面積の比率（ネガティブ率）は、ソールの前後方向の一方側（図示例では爪先側）及び他方側（図示例では踵側）の列から前後方向の中央部に向かって、略漸増しているため、比較的摩耗の大きい爪先側及び場合によって摩耗の大きい踵側の耐摩耗性を向上させつつ、比較的摩耗の小さい前後方向中央部で排水性を向上させることができ、耐摩耗性と排水性とを高い次元で両立させることができる。
【００４５】
また、図２に示す実施形態では、ソールの前後方向の一方側（図示例では爪先側）及び（図示例では踵側）の列から前後方向の中央部に向かって、ブロック１２の平面視での面積（例えば列での平均値）が略漸減しているため、比較的摩耗の大きい爪先側及び場合によって摩耗の大きい踵側の耐摩耗性を向上させつつ、比較的摩耗の小さい前後方向中央部で排水性を向上させることができ、耐摩耗性と排水性とを高い次元で両立させることができる。
このように、図２に示す実施形態は、爪先のみならず踵側でも摩耗が大きい競技種目や競技者等の場合に、特に有利である。
【００４６】
本発明では、図１、図２に示す実施形態にように、第１の方向に隣接する２つのブロック１２は、互いに略平行に延在する第１の側壁１２ｃをそれぞれ有し、複数のブロック１２が、第１の側壁１２ｃが延在する方向に略直交する方向に並んでなす列を、少なくとも１列有することが好ましい。耐摩耗性をより向上させることができるからである。
【００４７】
本発明では、図１に示す実施形態にように、少なくとも１つの列において、最短距離ｄ１（ｍｍ）は、幅方向一方側から他方側に向かって大きくなる箇所を有することが好ましい。耐摩耗性と排水性とを高い次元で両立させることができるからである。
【００４８】
本発明では、図１に示す実施形態にように、第１の側壁１２ｃは、第１の方向に隣接する２つのブロック１２のそれぞれの、最大の長さを有する側壁であることが好ましい。耐摩耗性をさらに向上させることができるからである。
【００４９】
本発明では、図１、図２に示す実施形態にように、列を複数列有し、第１の方向とは異なる第２の方向に隣接する列間で隣接する２つのブロック１２が、互いに略平行に延在する、第１の側壁１２ｃとは別の第２の側壁１２ｄをそれぞれ有することが好ましい。耐摩耗性をより一層向上させることができるからである。
【００５０】
本発明では、図１に示す実施形態にように、第２の側壁間の最短距離をｄ２（ｍｍ）とするとき、最短距離ｄ２（ｍｍ）は、複数列のうち、前後方向の一方側の列から他方側の列に向かって大きくなる箇所を有することが好ましい。耐摩耗性と排水性とをより高い次元で両立させることができるからである。
【００５１】
本発明では、図１に示す実施形態にように、底面１０の一部に、階段状のブロック１２ｂを有することが好ましい。耐摩耗性と排水性とをさらに高い次元で両立させることができるからである。
【００５２】
本発明では、図１、図２に示す実施形態のように、少なくとも一部のブロック１２が、ブロック１２の前後方向の両端から中央部に向かって、幅方向の幅が大きくなる箇所を有していることが好ましい。ブロック１２の剛性を増大させて、耐摩耗性をさらに向上させることができるからである。
なお、ソールの底面１０のパターンでは、溝の溝壁及び溝底に、フッ素が塗布されていることが好ましい。溝の溝壁及び溝底にフッ素が塗布されていることによって、ソールの底面１０における排水性能を高めることができるからである。
【００５３】
＜競技義足＞
以下、本発明の競技義足用ソールが装着される競技義足について例示説明する。なお、上述したように、本発明の競技義足用ソールは、装着される競技義足の種類等は、特に限定されず、任意の既知のタイプのものに装着することができる。
図３は、ソールが装着された状態の競技義足の一例を示す概略側面図である。競技義足１は、この例で板ばね状の足部２を有し、その先端側の接地域にソール３を装着する。なお、図示は省略しているが、足部２の基端部は、アダプタを介してソケットに接続され、ソケットに着用者の足の断端を収容することによって、着用者が義足を着用することができる。アダプタ及びソケットは、大腿義足、下腿義足等、足の断端位置に応じたものが用いられる。
【００５４】
以下、この例では、競技義足１の高さ方向において、足部２がアダプタと接続される側を接続側といい、路面Ｓと接地する側を接地側という。また、競技義足１の爪先Ｔとは、足部２が接続側から延びて終端する最先の位置を指す。
【００５５】
この例において、競技義足１の足部２は、接続側から接地側へ順に、直線部２ａ、爪先Ｔ側へ凸の曲線部２ｂ、足部前後方向の後側へ凸の湾曲部２ｃ、接地側に凹の曲線部２ｄ及び接地側に凸となる弧状に爪先Ｔ側に延びる接地部２ｅからなる。競技義足１の足部２は、少なくとも１つ（図示例では１つ）の湾曲部２ｃを介して、爪先Ｔ側へ板状に延びる形状を有している。
【００５６】
なお、足部２の材質は、特に限定されないが、強度及び軽量化の観点から、炭素繊維強化プラスチック等を用いることが好ましい。
【００５７】
接地部２ｅは、接地側に、爪先Ｔから曲線部２ｄ側へ弧状に延在する接地域２ｆを有し、この接地域２ｆにソール３が装着されている。接地域２ｆは、競技義足１を装着した装着者が直進走行動作を行った際に、路面Ｓと当接する全領域を指し、ソール３が装着された状態では、接地域２ｆは、ソール３を介して路面Ｓと当接する。
【００５８】
ソール３は、接地域２ｆの延在形状に従う形状を有している。また、ソール３の接地側が、底面１０である。図３に示すとおり、底面１０は、爪先Ｔ側から曲線部２ｄ側へ、弧Ｘ１及びＸ２が連なる形状を有している。この例では、弧Ｘ１と弧Ｘ２とは、互いに異なる曲率半径を有しているが、同じ曲率半径を有していてもよい。
【００５９】
また、底面１０は、競技義足１が装着され、装着者の直立状態における路面Ｓとの側面視での接点である点Ｃを通って、幅方向Ｗに延びる線を境界とする一方側と他方側で、異なる性能を備えている。この例では、点Ｃは、直立に至る際に最初に路面Ｓと接触する点である。すなわち、直立状態とは、競技義足１の装着者が、一方のみが義足の場合は義足を着用しない健常足で、両方が義足の場合は、一方の義足で体を支えた状態から、競技義足１を路面Ｓに降ろして最初に路面Ｓと接触した状態を指す。
【符号の説明】
【００６０】
１：競技義足、  ２：足部、  ３：ソール
１０：底面、  １１：溝
１２、１２ａ、１２ｂ：ブロック
１２ｃ：第１の側壁、  １２ｄ：第２の側壁、  １２ｅ：突出する部分
【図１】
2020022275.tif 000003
【図２】
2020022275.tif 000004
【図３】
2020022275.tif 000005
【図４Ａ】
2020022275.tif 000006
【図４Ｂ】
2020022275.tif 000007
【国際調査報告】
2020022275.tif 000008
2020022275.tif 000009
2020022275.tif 000010
2020022275.tif 000011